(57)【要約】【課題】古い浴室ユニットの改装に好適な天井パネルと柱フレームとの接続構造又は（天井パネル）接続補助部材を提供する。【解決手段】接続補助部材（１／２／３）を介した締結具（ビスなど）５による浴室天井パネル１３と浴室柱フレーム７との接続構造において、柱フレーム７（基準）に対する天井パネル周縁部の位置関係は、所定の距離（ｄ）だけ内側又は外側へ偏って形成されている。【選択図】図２
2004084373.tif 000002
【特許請求の範囲】
【請求項１】
接続補助部材を介した締結具による浴室天井パネルと浴室柱フレームとの接続構造であって、
前記柱フレームに対する天井パネル周縁部の位置関係は、所定の距離（ｄ）だけ内側又は外側へ偏って形成されている、天井パネルと柱フレームとの接続構造。
【請求項２】
浴室天井パネルと浴室柱フレームとを接続するための接続補助部材であって、
前記柱フレームに対する天井パネル周縁部の位置が、所定の距離（ｄ）だけ内側又は外側へ偏ったままの接続を可能にしている接続補助部材。
【請求項３】
部材の長手方向に沿って一又は二の略直角の折れ曲りがあって、当該部材は一又は二以上の水平部と一又は二の垂直部とを有する横長尺体である、請求項２の接続補助部材。
【発明の詳細な説明】
【０００１】
【発明の属する技術分野】
本発明は、浴室柱フレームと浴室天井パネルとを接続するときの天井パネルと柱フレームとの接続構造、並びにそのとき用いる接続補助部材に関するものである。特に、既設浴室ユニットを改装する場合に好適な天井パネルと柱フレームとの接続構造及び接続補助部材に関するものである。
【０００２】
【従来の技術】
マンションなどの集合住宅や一般住宅等に設置された従来例の浴室ユニットを図５（平面図及び縦断面図）に、また、その浴室ユニットの天井コーナ部の拡大図〔すなわち、図５（ロ）の右上部〕を図６に示した。このような浴室ユニットを新設する場合、浴室空間内にＦＲＰなどの（プラスチック製）防水パン６を配置し、その防水パン６の周囲に、略四角形（中空）長尺体の柱フレーム（コーナ支柱７やフラット支柱８）を立設する。ここで、コーナ支柱７の下部では、直角に押し広げた固定部が形成されており、コーナ支柱７をその固定部を利用して防水パンの周囲（立上り壁）にビス固定する。また、コーナ支柱７の略四角形（中空）の一角は、上下にわたり所定の間隙をもって開放されており、その間隙を利用して壁パネル９の端部を引っかけるように挿入する。このとき、直角に近接する壁パネル９どうしの間に生じた間隙に目地（ゴム製又はプラスチック製）を挿入・固定して水封する。また、壁パネル９の表面（前面）は、防水パン６の内法（Ｐ０／Ｑ０）に合わせて防水パンの側壁面と面一とする。
【０００３】
ここで、拡大図（図６）に示したように、水平部４ａ及び垂直部４ｂを有する（断面略Ｌ字状）接続補助部材４を、先ず内側からその垂直部４ｂを利用してコーナ支柱７にビス固定し、次に、接続補助部材の垂直部４ｂと天井パネル１３の周縁の垂直フランジ部１３ｂとを合わせて、外側からビス固定することで、天井パネル１３を接続補助部材４を介してコーナ支柱７に固定する。その後、壁パネル９と天井パネル１３との隙間には目地１０を挿入して水封し、浴室ユニットを完成する。以上は、浴室ユニットの新設例である。
【０００４】
浴室ユニットを長年使用すると、室内の高温多湿が誘因となり、床面、壁面又は天井面に除去困難な黒カビ等が発生し、外観不良やカビ臭等の問題が起こってくる。壁パネル及び天井パネルが鋼板製のものであると、錆や腐食が発生し、これが膨れや剥れに進展して、見苦しいばかりでなく防水性も問題となる。
【０００５】
このような問題が生じた場合に、従来よく行なわれている方法の一つは、その損傷箇所だけを部分的に補修（例えば、塗装やフィルム貼付）する方法である。また、従来よく行なわれている別の方法は、新築若しくは新設と同様に、浴室ユニットを全面的に改装する方法である。この方法においては、先ず水道やガスの元栓を止め、浴室内の湯水栓、ガス栓、換気扇等の末端機器を外し、排水口、ドア、額縁等を外し、壁パネル、天井パネルを外し、支柱（コーナ支柱及びフラット支柱）を外して、浴槽及び防水パンを撤去した後、新規に、防水パン及び浴槽を設置して、支柱（コーナ支柱及びフラット支柱）を取り付け、天井パネル、壁パネルを取り付け、ドア、額縁を取り付け、浴室ユニットを完成させる。
【０００６】
【発明が解決しょうとする課題】
しかし、前者の部分的補修方法では、長い年月を経過しないうちに補修箇所から錆や腐食が再発し、再度の補修が必要となる。
また、後者の全面的改装方法は、新築若しくは新設同様な真新しい浴室ユニットが得られる利点があるが、改装に時間がかかり、廃棄物も大量に発生する。
本発明は、既設浴室ユニットを構成する部品類のうち再利用可能なものはできるだけ使う（廃棄物を極力出さない）との着想から、比較的故障が少なく、図体の大きい既設防水パンは少なくとも残して再利用しながら、古い浴室ユニットを新たに改装する方法又はこれに好適に使用しうる（天井パネル）接続補助部材を提供することを目的としている。
【０００７】
【発明を解決するための手段】
浴室ユニットのサイズは比較的小さいものから比較的大きいものまで各種あり、この業界では、例えば、”１０１４”（短辺側内法が公称１０００ｍｍ、長辺側の内法が公称１４００ｍｍ）とか、”１１１６”（短辺側内法が公称１１００ｍｍ、長辺側の内法が公称１６００ｍｍ）とか、”１２１６”（短辺側内法が公称１２００ｍｍ、長辺側の内法が公称１６００ｍｍ）などと略称されている。
【０００８】
ところで、本発明者らは、多数の既設浴室ユニットの寸法を実測して整理する過程で、同じ略称で呼ばれている浴室ユニットであっても、メーカが違えば、浴室ユニット（あるいは、防水パン）の寸法（内法）は無視できない相違（変動；バラツキ）があることが分かってきた。例えば、”１１１６”を例にとると、短辺側が概ね１０９５ｍｍ〜１１２５ｍｍの範囲、長辺側が概ね１５９５ｍｍ〜１６２５ｍｍの範囲であり、短辺側も長辺側も約３０ｍｍの変動幅である。この約３０ｍｍの変動幅は、その他の”１０１４”や”１２１６”の短辺側及び長辺側もについても同じような事情であった。
【０００９】
このような内法に変動のある既設防水パンを残して（すなわち、再利用して）、既設浴室ユニットを改装しようとする場合、その寸法に合わせて天井パネル（あるいは、壁パネル）を各種揃えて対応することもできるが、そうすると同じ略称の浴室ユニットを改装する場合であっても、少しずつ大きさの違う天井パネル（あるいは、壁パネル）を予め何種類も用意しておかなければならないことになる。
【００１０】
本発明では、次の構成をとることで、天井パネルの種類は、原則として１種類で済ませうるのである。
すなわち、本発明は、接続補助部材（１／２／３）を介した締結具（ビスなど）５による浴室天井パネル１３と浴室柱フレーム７との接続構造であって、前記柱フレーム７（基準）に対する天井パネル周縁部の位置関係は、所定の距離（ｄ）だけ内側又は外側へ偏って形成されている、天井パネル１３と柱フレーム７との接続構造である。
【００１１】
また、本発明は、上記接続構造に好適に使用できる接続補助部材（１／２／３）でもある。すなわち、浴室柱フレーム７と浴室天井パネル１３とを接続・固定するための接続補助部材であって、柱フレーム（基準）７に対する天井パネル周縁部の位置が、所定の距離（ｄ）だけ内側又は外側へ偏ったままの接続を可能としている接続補助部材（１／２／３）である。
ここで、所定の距離（ｄ）とは、概ね２０ｍｍ前後もしくはそれ以下の距離（調整幅）である。
【００１２】
また、このような接続補助部材は、好ましくは、その部材の長手方向に沿っては一又は二の略直角の折れ曲りがあり、その接続補助部材は一又は二以上の水平部と一又は二の垂直部とを有する横長尺体とする。また、この接続補助部材は、通常、厚み１ｍｍ程度、幅７０ｍｍ〜９０ｍｍ程度の鋼板やステンレス板などの金属板を細工して製作する。高い機械的強度を有するものであれば、金属板に代えてプラスチック成形物を使用することもできる。
【００１３】
【発明の実施の形態】
以下、図面を参照して更に具体的に説明する。
図１は、本発明に係る第１例の（天井パネル）接続補助部材の斜視図である。図１から分かるように、接続補助部材１は水平部１ａと垂直部１ｂとを備え、水平部１ａには長穴（複数個の丸穴でもよい）１６を設けてあり、また、垂直部１ｂには丸穴１７を設けてあり、これらの穴と締結具（ビスなど）５とを利用して、柱フレームと接続補助部材とを堅く締結し、また、天井パネルと接続補助部材とを堅く締結することができる。更に、長穴（又は複数個の丸穴）を利用して天井パネル１３を水平方向にスライドさせることもできる。すなわち、天井パネル１３と壁パネル９との位置関係を微調整できる。
【００１４】
図２は、上の第１例の接続補助部材１を用い、既設防水パン６を残して（すなわち、再利用して）既設ユニットを改装した場合で、新たに立設させたコーナ支柱間間隔（内法）よりも、天井パネルの幅（内法）のほうがｄ（両側で２ｄ）だけ小さい場合の天井コーナ部の接続構造（縦断面図）である。図２から分かるように、天井パネル１３の周縁には予め垂直部１３ｂから内側へ直角に折り曲がる水平部（水平面）１３ａを形成させておく。接続補助部材１との接合部をつくるためである。
先ず、（断面略Ｌ字状）接続補助部材１の垂直部１ｂをコーナ支柱７に合わせ、内側からビス固定することで、接続補助部材１をコーナ支柱７に接続・固定する。次に、天井パネル１３の周縁に形成した水平部（水平面）１３ａと接続補助部材の水平部１ａとを合わせ、外側からビス固定することで、天井パネル１３を（接続補助部材１を介して）コーナ支柱７に固定する。なおこのとき、壁パネル９は、コーナ支柱７に差し込まれた状態で所定の位置に固定されている。その後、壁パネル９と天井パネル１３との隙間に目地１０を挿入して水封し、浴室ユニットを完成する。
【００１５】
図３（イ）は本発明に係る第２例の接続補助部材を示し、図３（ロ）は第２例の接続補助部材を用い、既設防水パン６を残して柱フレーム７と天井パネル１３とを接続・固定したときの天井コーナ部の接続構造（縦断面図）である。ここで、新たに立設させたコーナ支柱間間隔（内法）よりも、天井パネルの幅（内法）のほうがｄ（両側で２ｄ）だけ小さい点は、図２と同じであるが、接続補助部材２は天井パネル１３の表面（下面）に相当する水準で外側に直角に折り曲げて第２の水平部２ｃを形成させて、更に所定の距離（ｄ）だけ進んだ位置で、再び下方へ直角に折り曲げて垂直部２ｄを形成させ、この垂直部２ｄと柱フレーム７とを合わせてビス固定することで、接続補助部材２をコーナ支柱７に固定する構造である。次に、天井パネル１３の周縁に形成した垂直部１３ｂと接続補助部材の垂直部２ｂとを合わせ、外側からビス固定することで、天井パネル１３を（接続補助部材２を介して）コーナ支柱７に固定する。その他は、図２と同様である。なお、第２例の接続補助部材２における第１の水平部２ａは無くとも構わない。
【００１６】
図４（イ）は、本発明に係る第３例の接続補助部材を示し、図４（ロ）は第３例の接続補助部材を用い、既設防水パン６を残して既設ユニットを改装した場合の天井コーナ部の接続構造（縦断面図）である。ここで、新たに立設させたコーナ支柱間間隔（内法）よりも、天井パネルの幅（内法）のほうがｄ（両側で２ｄ）だけ大きい点は、図２や図３とは異なる。
接続補助部材３は、天井パネル１３の表面（下面）に相当する水準で内側に直角に折り曲げて第２の水平部３ｃを形成させて、更に所定の距離（ｄ）だけ進んだ位置で、再び下方へ直角に折り曲げて垂直部３ｄを形成させ、この垂直部３ｄと柱フレーム７とを合わせてビス固定することで、接続補助部材３をコーナ支柱７に固定する構造である。次に、天井パネル１３の周縁に形成した垂直部１３ｂと接続補助部材の垂直部３ｂとを合わせ、外側からビス固定することで、天井パネル１３を接続補助部材３を介してコーナ支柱７に固定している。その他は、図２や図３と同様である。
なお、第３例の接続補助部材３における第１の水平部３ａは無くとも構わない。
【００１７】
【作用及び効果】
本発明の接続構造では、柱フレーム（基準）に対する天井パネル周縁部の位置関係は、所定の距離（ｄ）だけ内側又は外側へ偏っているので、既設防水パンの周囲に立設させた新設コーナ支柱間の間隔（内法）が、予め用意した新設天井パネルの寸法（内法）よりも多少大きくともあるいは多少小さくとも、壁パネルを配置したあとに、用意した天井パネルを載置し、固定することができる。そのため、所定の略称の既設浴室ユニットを改装する場合にも、１種類のサイズの天井パネルによって対応できる。在庫管理が容易となり誤発送等の問題も低減する。コストの面でも有利となる。
【００１８】
本発明の接続構造や接続補助部材を用いれば、図体の大きい既設防水パンは少なくとも残して再利用しながら、古い浴室ユニットを新たに改装できるので、廃棄物を極力出さないことに貢献し、地球環境にやさしい。
【００１９】
本発明の接続補助部材は、略直角の折れ曲がりがあるので、構造的に強い。水平方向の平面をもつので、水平方向からの力（荷重）に対して特に強い。本発明に係る第２例及び第３例の接続補助部材のように、二以上に略直角の折れ曲がりのある接続補助部材は、更に構造的に強い。
【００２０】
本発明に係る第１例の接続補助部材のように、水平部に締結具（ビスなど）用の長穴又は複数個の丸穴を穿けているような接続補助部材を用いれば、この長穴又は複数個の丸穴を利用して天井パネルを水平方向にスライドさせることができ、したがって、天井パネルと壁パネルの位置関係を微調整できる。
【００２１】
本発明に係る天井パネルと柱フレームとの接続構造や接続補助部材は、既設浴室ユニットの改装に好適であるが、これに限定されない。新築住宅への浴室ユニットの新設であっても、これに準ずる浴室ユニットの新設においても利用できる。
【図面の簡単な説明】
【図１】本発明に係る第１例の（天井パネル）接続補助部材の斜視図。
【図２】図１の接続補助部材を用いて、柱フレームと天井パネルとを接続・固定したときの天井部の縦断面図。
【図３】（イ）は本発明に係る第２例の接続補助部材の斜視図、（ロ）はその接続補助部材を用いて、柱フレームと天井パネルとを接続・固定したときの天井部の縦断面図。
【図４】（イ）は本発明に係る第３例の接続補助部材の斜視図、（ロ）はその接続補助部材を用いて、柱フレームと天井パネルとを接続・固定したときの天井部の縦断面図。
【図５】従来例の浴室ユニットで、（イ）は平面図、（ロ）は縦断面図。
【図６】従来例の接続補助部材を用いて、柱フレームに天井パネルを固定したときの天井部の縦断面図。
【符号の説明】
１：接続補助部材
１ａ：水平部（又は水平面）　　１ｂ：垂直部（又は垂直面）
２：接続補助部材
２ａ：（第１の）水平部　２ｃ：（第２の）水平部
２ｂ：（第１の）垂直部　２ｄ：（第２の）垂直部
３：接続補助部材
３ａ：（第１の）水平部　３ｃ：（第２の）水平部
３ｂ：（第１の）垂直部　３ｄ：（第２の）垂直部
４：接続補助部材
４ａ：水平部　　４ｂ：垂直部
５：締結具（ビスなど）　　　　６：防水パン
７：柱フレーム（コーナ支柱）　　８：柱フレーム（フラット支柱）
９：壁パネル　　　１０：目地
１１：建築物躯体　　１２：浴槽
１３：天井パネル
１３ａ：（天井パネル上縁の）水平フランジ部
１３ｂ：（天井パネル周縁の）垂直フランジ部
１４：額縁　　　　１５：ドア
１６、１７：穴
Ｐ０：防水パン長辺側内法サイズ
Ｑ０：防水パン短辺側内法サイズ
Ｐ１：浴室ユニットの壁パネル間長辺側内法サイズ
Ｑ１：浴室ユニットの壁パネル間短辺側内法サイズ
ｄ：偏り（距離）
【図１】
2004084373.tif 000003
【図２】
2004084373.tif 000004
【図３】
2004084373.tif 000005
【図４】
2004084373.tif 000006
【図５】
2004084373.tif 000007
【図６】
2004084373.tif 000008